【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
入力画像を入力する入力手段と、
前記入力画像の変形処理のための変形情報に基づく変形処理を前記入力画像に対して実行すべきかを、前記変形情報に基づいて特定される変形画像の傾き情報を用いて判定する判定手段と、
前記判定手段により前記変形情報に基づく変形処理を実行すべきでないと判定された場合、当該変形情報による変形が実行されないように制御する制御手段とを有することを特徴とする画像処理装置。
【請求項２】
前記判定手段により前記変形情報に基づく変形処理を実行すべきでないと判定された場合、当該判定結果をユーザに通知するための通知手段を有することを特徴とする請求項１に記載の画像処理装置。
【請求項３】
前記変形処理のための変形情報に関するユーザ入力を受け付ける受付手段と、
前記受付手段により受け付けられたユーザ入力に基づいて前記変形処理のための変形情報を決定する決定手段とを有し、
前記判定手段は、前記決定手段により決定された変形情報に基づく変形処理を実行すべきかを、当該変形情報に基づく変形画像の傾き情報に基づいて判定することを特徴とする請求項１又は２に記載の画像処理装置。
【請求項４】
前記判定手段は、前記入力画像に対して前記変形情報に基づいて変形処理を実行した場合に得られる変形画像の傾きが所定の閾値を超える場合、当該変形情報に基づく変形処理を実行すべきでないと判定することを特徴とする請求項１乃至３の何れか１項に記載の画像処理装置。
【請求項５】
前記判定手段は、前記入力画像に対して前記変形情報に基づいて変形処理を実行した場合に得られる変形画像の複数の辺のうち、何れか１つの傾きが所定の閾値を超える場合、当該変形情報に基づく変形処理を実行すべきでないと判定することを特徴とする請求項１乃至３の何れか１項に記載の画像処理装置。
【請求項６】
前記所定の閾値は、前記変形画像を格納するためのキャッシュメモリのサイズに基づいて定まることを特徴とする請求項４又は５に記載の画像処理装置。
【請求項７】
前記判定手段は、前記入力画像のうち所定幅を有する１ラインの画像データに対応する変形画像をキャッシュメモリに格納すると、当該格納に必要なキャッシュメモリの高さ方向のタイル数が、所定の閾値を超える場合、前記変形情報に基づく変形処理を実行すべきでないと判定することを特徴とする請求項１乃至６の何れか１項に記載の画像処理装置。
【請求項８】
前記入力画像に対し、前記変形情報に基づく変形処理を実行すべきでないと前記判定手段により判定されなかった場合、当該変形情報に基づく変形処理を実行する処理手段を有することを特徴とする請求項１乃至７の何れか１項に記載の画像処理装置。
【請求項９】
タイル状に分割された複数のキャッシュタイルで構成されるキャッシュメモリと、
前記キャッシュタイルの水平方向ピクセル数と、垂直方向ピクセル数と、垂直方向のタイル数とを含む構成情報を取得する取得手段とを有し、
前記判定手段は、前記変形情報に基づいて前記入力画像の所定幅を有する１ラインが変形された変形画像の傾きが、「垂直方向ピクセル数×垂直方向のタイル数／水平方向ピクセル数」により定まる傾きを超える場合、当該変形情報に基づいて変形処理を実行すべきでないと判定することを特徴とする請求項１乃至３の何れか１項に記載の画像処理装置。
【請求項１０】
前記変形画像を格納するためのキャッシュメモリを有し、
前記判定手段は、前記変形情報に基づいて前記入力画像が変形されるとライン数が増加する場合に、該ライン数が増加した部分の出力を、前記入力画像の対応する部分におけるライン数の出力期間で行えるか否かを、前記キャッシュメモリの垂直方向の出力レートに基づいて判定し、当該判定結果に基づいて、前記変形情報に基づく変形処理を実行すべきか否かを判定することを特徴とする請求項１乃至３の何れか１項に記載の画像処理装置。
【請求項１１】
前記変形画像を格納するためのキャッシュメモリを有し、
前記判定手段は、前記変形情報に基づいて前記入力画像が変形されると１ラインの画素数が増加する場合に、その増加した画素数の画素を前記入力画像の１ラインの水平同期信号期間から水平データ有効信号期間を除いた期間内で出力できるか否かを、前記キャッシュメモリの１画素当たりの出力時間に基づいて判定し、当該判定結果に基づいて、前記変形情報に基づく変形処理を実行すべきか否かを判定することを特徴とする請求項１乃至３の何れか１項に記載の画像処理装置。
【請求項１２】
画像処理装置が実行する画像処理方法であって、
入力画像の変形処理のために用いられる変形情報に基づく変形処理を前記入力画像に対して実行すべきかを、前記変形情報に基づいて特定される変形画像の傾き情報を用いて判定し、
前記変形情報に基づく変形処理を実行すべきでないと判定された場合、当該変形情報による変形が実行されないように制御することを特徴とする画像処理方法。
【請求項１３】
前記変形情報に基づく変形処理を実行すべきでないと判定された場合、当該判定結果をユーザに通知することを特徴とする請求項１２に記載の画像処理方法。
【請求項１４】
前記変形処理のための変形情報に関するユーザ入力を受け付け、
前記受け付けられたユーザ入力に基づいて前記変形処理のための変形情報を決定し、
前記決定された変形情報に基づく変形処理を実行すべきかを、当該変形情報に基づく変形画像の傾き情報に基づいて判定することを特徴とする請求項１２又は１３に記載の画像処理方法。
【請求項１５】
コンピュータを請求項１乃至１１の何れか１項に記載の画像処理装置の各手段として動作させるためのプログラム。
【手続補正２】
【補正対象書類名】明細書
【補正対象項目名】００１１
【補正方法】変更
【補正の内容】
【００１１】
上記の目的を達成するための本発明の一態様による情報処理装置は以下の構成を有する。すなわち、
入力画像を入力する入力手段と、
前記入力画像の変形処理のための変形情報に基づく変形処理を前記入力画像に対して実行すべきかを、前記変形情報に基づいて特定される変形画像の傾き情報を用いて判定する判定手段と、
前記判定手段により前記変形情報に基づく変形処理を実行すべきでないと判定された場合、当該変形情報による変形が実行されないように制御する制御手段とを有する。
【手続補正３】
【補正対象書類名】明細書
【補正対象項目名】００２８
【補正方法】変更
【補正の内容】
【００２８】
ステップＳ７０１〜Ｓ７０４（傾き判定処理）について、図３を参照しながら処理の内容を説明する。ステップＳ７０１（傾き判定処理）では、変形判定部１０７が、変形形状によって決まるピクセルの入力（画像変形部１０９からの変形ピクセル画像データ１１９）が、キャッシュメモリ１１０の許容可能な傾きに収まるか否か（制約を満たすか否か）を判定する。すなわち、入力画像の１ラインを変形して得られた傾いた１ラインの全体をキャッシュメモリ１１０が保持できるか否かが判定される。図３には、入力画像３００を（Ａ）変形角度の小さい例と（Ｂ）変形角度の大きい例の変形の様子が示されており、以下、（Ａ）変形角度の小さい例では制約が満たされ、（Ｂ）変形角度の大きい例では制約を違反する場合を説明する。
【手続補正４】
【補正対象書類名】明細書
【補正対象項目名】発明の名称
【補正方法】変更
【補正の内容】
【発明の名称】画像処理装置および画像処理方法